(57)【要約】【課題】ディスクを高速で回転させたときに生じる振動に起因したノイズを低減する。【解決手段】この発明の光ディスク装置１は、マウントベース１５の所定位置に設けられ、ピックアップシャーシ１３により保持されているモータの回転により生じる振動に起因してハウジング１１の回動支点部１１ａの開口との間のクリアランスの影響であるノイズを低減可能な弾性力を、回転支点部の開口の壁面に提供可能な支点ピン１５ａを有する。【選択図】  図２
2005190595.tif 000002
【特許請求の範囲】
【請求項１】
記録媒体を保持し所定速度で回転させるモータと、モータにより回転される記録媒体に光を照射して記録媒体に記録されている情報を再生し、または記録媒体に情報を記録する光ヘッドと、を支持した第１の保持構造体と、
前記第１の保持構造体を収容する筐体と、
記録媒体を保持し、前記筐体内に、もしくは前記筐体から外部へ搬送する記録媒体保持構造体と、
前記記録媒体保持構造体の前記筐体内への移動、もしくは前記筐体から外部への移動に際して、前記筐体の所定の位置に形成された回動支点部を支点として回動することにより前記第１の保持構造体を、所定の待避位置に位置させる第２の保持構造体と、
を有する光ディスク装置において、
前記第２の保持構造体の所定位置に設けられ、前記第２の保持構造体を前記筐体の回動支点部に回動可能に位置させる支点ピンは、前記筐体の回動支点部の開口と所定の圧力で接するボス部と、ボス部と一体に、ボス部を複数に分割する形状に形成されたスリット部とを有することを特徴とする光ディスク装置。
【請求項２】
前記支点ピンのスリット部は、前記筐体の回動支点部が対向する２辺が互いに概ね平行な矩形状である場合に、対向する任意の２辺と概ね平行に形成されることを特徴とする請求項１記載の光ディスク装置。
【請求項３】
前記支点ピンのスリット部は、前記筐体の回動支点部が対向する２辺が互いに概ね平行な矩形状である場合に、対向する任意の２角を結ぶ線分と概ね平行に形成されることを特徴とする請求項１記載の光ディスク装置。
【請求項４】
前記筐体の回動支点部は、対向する２辺が互いに概ね平行な矩形の任意の１辺と接する２辺により特定される２つの角部を肉盛りした形状を有し、
前記支点ピンのスリット部は、回動支点部の肉盛りした形状部分が接しない残りの１辺と概ね平行に形成されることを特徴とする請求項１記載の光ディスク装置。
【請求項５】
記録媒体を保持し所定速度で回転させるモータと、モータにより回転される記録媒体に光を照射して記録媒体に記録されている情報を再生し、または記録媒体に情報を記録する光ヘッドと、を支持した第１の保持構造体と、前記第１の保持構造体を収容する筐体と、記録媒体を保持し、前記筐体内に、もしくは前記筐体から外部へ搬送する記録媒体保持構造体と、前記記録媒体保持構造体の前記筐体内への移動、もしくは前記筐体から外部への移動に際して、前記筐体の所定の位置に形成された回動支点部を支点として回動することにより前記第１の保持構造体を、所定の待避位置に位置させる第２の保持構造体と、を有する光ディスク装置において、
前記第２の保持構造体の所定位置に設けられ、前記第２の保持構造体を前記筐体の回動支点部に回動可能に位置させる支点ピンは、前記第１の保持構造体により保持されているモータの回転により生じる振動に起因して前記筐体の回動支点部の開口との間のクリアランスの影響であるノイズを低減可能な弾性力を、回転支点部の開口の壁面に提供可能であることを特徴とする光ディスク装置。
【請求項６】
前記筐体の回動支点部は、対向する２辺が互いに概ね平行な矩形の任意の１辺と接する２辺により特定される２つの角部を肉盛りした形状を有し、
前記支点ピンのスリット部は、回動支点部の肉盛りした形状部分が接しない残りの１辺と概ね平行に形成されることを特徴とする請求項５記載の光ディスク装置。
【請求項７】
記録媒体を保持し所定速度で回転させるモータと、モータにより回転される記録媒体に光を照射して記録媒体に記録されている情報を再生し、または記録媒体に情報を記録する光ヘッドと、を支持した第１の保持構造体と、前記第１の保持構造体を収容する筐体と、記録媒体を保持し、前記筐体内に、もしくは前記筐体から外部へ搬送する記録媒体保持構造体と、前記記録媒体保持構造体の前記筐体内への移動、もしくは前記筐体から外部への移動に際して、前記筐体の所定の位置に形成された回動支点部を支点として回動することにより前記第１の保持構造体およびその保持構造体が保持するモータおよび光ヘッドを、前記記録媒体保持構造体と接することのない位置に位置させる第２の保持構造体と、を有する光ディスク装置において、
前記第２の保持構造体の所定位置に設けられ、前記第２の保持構造体を前記筐体の回動支点部に回動可能に位置させる支点ピンは、支点ピンを複数に分割するスリット部により少なくとも２つに分割されたボス部を有し、スリット部により提供される弾性力により、前記筐体の回動支点部の開口の壁面に向かう圧力を提供可能に形成されていることを特徴とする光ディスク装置。
【発明の詳細な説明】
【技術分野】
【０００１】
この発明は、情報記録媒体、例えば円盤状の光ディスクに情報を記録し、または光ディスクから情報を再生する光ディスク装置に係り、特に光ディスクを高速で回転させたときに生じる振動に起因したノイズを低減可能な構造およびその構造を用いた光ディスク装置に関する。
【背景技術】
【０００２】
情報記録媒体としての光ディスクには、ＣＤ、ＤＶＤ−ＲＯＭに代表される再生専用型や、ＣＤ−Ｒ、ＤＶＤ−Ｒに代表される１回追記型、コンピュータの外付けメモリや録再ビデオに利用可能なＣＤ−ＲＷ、ＤＶＤ−ＲＡＭ、ＤＶＤ−ＲＷに代表される書き換え可能型等がある。
【０００３】
光ディスクに情報を記録し、または光ディスクから情報を再生する光ディスク装置は、光ディスクを保持して所定の速度で回転させるモータを保持したモータ保持部と、光ディスクをハウジング内に収容し、またはハウジングから排出させるために光ディスクを支持するディスクトレイと、ディスクトレイすなわち光ディスクの収容／排出動作において、モータ保持部がディスクトレイと接触することを防止するためにモータ保持部をディスクトレイが移動される領域から待避させるモータ部待避機構と、を有する。
【０００４】
なお、モータ保持部には、光ディスクに情報を記録し、あるいは光ディスクから情報を再生するために利用される光ヘッド（ピックアップ）も搭載されている。
【０００５】
このため、モータ部待避機構がモータ保持部を待避させるための空間の大きさは、外形形状および体積に制約のあるハウジング内で、最大限に設定される必要がある。
【０００６】
このような背景において、ディスクトレイが収容／排出される開口部と逆の方向の所定位置を支点として、モータ保持部を傾斜させることによりディスクトレイの収容／排出時に、モータ保持部がディスクトレイと接することを防止したモータ部待避機構が既に実用化されている（例えば特許文献１参照）。
【０００７】
また、特許文献１に記載のあるモータ保持部を傾斜させる際の支点に利用可能な構造に類似した構造として、スナップフィットと称され、複数の空条が割り型をなすように一体的に形成されるとともに、空条の所定の基部間をつなぐ変形抵抗部を設けた嵌挿式部品が実用化されている（例えば特許文献２参照）。
【特許文献１】特開平７−１５３１６３号公報
【特許文献２】特開２０００−２２０６１８号公報
【発明の開示】
【発明が解決しようとする課題】
【０００８】
しかしながら、特許文献１に記載された傾斜式のモータ部待避機構においては、ボス部と対応する保持部とのクリアランスに起因して、光ディスクを高速で回転させたときに、振動が生じてクリアランスノイズが発生する問題がある。
【０００９】
また、特許文献２に記載された嵌挿式部品構造を用いることが可能であったとしても、同嵌挿式部品を、特定の構造体を傾斜させる際の支点として利用可能であることまでは、記載されておらず、また、振動が加えられた場合にノイズが生じる可能性も残されている。
【００１０】
この発明の目的は、光ディスク装置において、連続した振動に起因してクリアランスノイズが生じることを抑止することである。
【課題を解決するための手段】
【００１１】
この発明は、記録媒体を保持し所定速度で回転させるモータと、モータにより回転される記録媒体に光を照射して記録媒体に記録されている情報を再生し、または記録媒体に情報を記録する光ヘッドと、を支持した第１の保持構造体と、前記第１の保持構造体を収容する筐体と、記録媒体を保持し、前記筐体内に、もしくは前記筐体から外部へ搬送する記録媒体保持構造体と、前記記録媒体保持構造体の前記筐体内への移動、もしくは前記筐体から外部への移動に際して、前記筐体の所定の位置に形成された回動支点部を支点として回動することにより前記第１の保持構造体を、所定の待避位置に位置させる第２の保持構造体と、を有する光ディスク装置において、前記第２の保持構造体の所定位置に設けられ、前記第２の保持構造体を前記筐体の回動支点部に回動可能に位置させる支点ピンは、前記筐体の回動支点部の開口と所定の圧力で接するボス部と、ボス部と一体に、ボス部を複数に分割する形状に形成されたスリット部とを有することを特徴とする光ディスク装置を提供するものである。
【００１２】
また、この発明は、記録媒体を保持し所定速度で回転させるモータと、モータにより回転される記録媒体に光を照射して記録媒体に記録されている情報を再生し、または記録媒体に情報を記録する光ヘッドと、を支持した第１の保持構造体と、前記第１の保持構造体を収容する筐体と、記録媒体を保持し、前記筐体内に、もしくは前記筐体から外部へ搬送する記録媒体保持構造体と、前記記録媒体保持構造体の前記筐体内への移動、もしくは前記筐体から外部への移動に際して、前記筐体の所定の位置に形成された回動支点部を支点として回動することにより前記第１の保持構造体を、所定の待避位置に位置させる第２の保持構造体と、を有する光ディスク装置において、前記第２の保持構造体の所定位置に設けられ、前記第２の保持構造体を前記筐体の回動支点部に回動可能に位置させる支点ピンは、前記第１の保持構造体により保持されているモータの回転により生じる振動に起因して前記筐体の回動支点部の開口との間のクリアランスの影響であるノイズを低減可能な弾性力を、回転支点部の開口の壁面に提供可能であることを特徴とする光ディスク装置を提供するものである。
【００１３】
また、この発明は、記録媒体を保持し所定速度で回転させるモータと、モータにより回転される記録媒体に光を照射して記録媒体に記録されている情報を再生し、または記録媒体に情報を記録する光ヘッドと、を支持した第１の保持構造体と、前記第１の保持構造体を収容する筐体と、記録媒体を保持し、前記筐体内に、もしくは前記筐体から外部へ搬送する記録媒体保持構造体と、前記記録媒体保持構造体の前記筐体内への移動、もしくは前記筐体から外部への移動に際して、前記筐体の所定の位置に形成された回動支点部を支点として回動することにより前記第１の保持構造体およびその保持構造体が保持するモータおよび光ヘッドを、前記記録媒体保持構造体と接することのない位置に位置させる第２の保持構造体と、を有する光ディスク装置において、前記第２の保持構造体の所定位置に設けられ、前記第２の保持構造体を前記筐体の回動支点部に回動可能に位置させる支点ピンは、支点ピンを複数に分割するスリット部により少なくとも２つに分割されたボス部を有し、スリット部により提供される弾性力により、前記筐体の回動支点部の開口の壁面に向かう圧力を提供可能に形成されていることを特徴とする光ディスク装置を提供するものである。
【発明の効果】
【００１４】
本発明によれば、ディスクを高速で回転させたときに生じる振動に起因したノイズを低減できる。
【発明を実施するための最良の形態】
【００１５】
以下、図面を参照して、この発明の実施の形態について詳細に説明する。
【００１６】
図１に示すように、光ディスク（記録媒体）に情報を記録し、あるいは光ディスクから情報を再生する光ディスク装置１は、外装ハウジング（筐体外装）３と、外装ハウジング３に対して格納（引き込み）／排出（繰り出し）可能に形成され、外装ハウジング内に、または外装ハウジングから外部に光ディスクを搬送（収容／排出）するディスクトレイ５を有する。
【００１７】
ディスクトレイ５は、外装ハウジング３の任意の一面に形成されたフロントパネル７に設けられたボタン９によりディスクトレイ５の格納または排出が指示（入力）されることで、外装ハウジング３内に形成された詳述しないローディング機構により、ハウジング３内に、またはハウジング３から外部に光ディスクを搬送できる。
【００１８】
図２は、図１に示した光ディスク装置１の要部を説明する分解斜視図である。
【００１９】
図２に示される通り、光ディスク装置１は、外装ハウジング３内の主要な部分を占めるとともに、以下に説明する様々な要素および構造を保持した筐体１１を有する。
【００２０】
筐体１１の所定の位置には、光ディスクを保持するとともに、光ディスクからの情報の読み出し（情報再生）および光ディスクへの情報の書き込み（情報記録）時に光ディスクを所定の速度で回転させるモータと光ディスクからの情報再生／光ディスクへの情報記録に用いられる光ヘッド（ピックアップ）が設けられたピックアップシャーシ１３がピックアップマウントベース１５を介して設けられている。
【００２１】
マウントベース１５は、図３に詳細に説明するように、ハウジング３の所定位置に設けられた回動支点部１１ａに挿入されることで（ピックアップシャーシ１３が搭載された状態で）マウントベース１５全体を、ハウジング３に対して所定角度だけ回動（傾斜）可能とする支点ピン１５ａを有している。従って、マウントベース１５（およびマウントベース１５に固定されたピックアップシャーシ１３）は、図１に示したボタン９によりディスクトレイ５の収容／排出が指示されることで、ディスクトレイ５にセットされた光ディスクとモータやピックアップがディスクトレイ５および光ディスクと接することのない所定の待避空間に、支点ピン１５ａを回動支点として回動（傾斜）されることで待避される。
【００２２】
支点ピン１５ａは、図４に示すされるように、マウントベース１５の所定位置に、マウントベース１５と一体で、少なくとも２つに分割された突起（ボス）部１５ｂ（２カ所）と、突起（ボス）部が弾性変形することを可能とするスリット部１５ｃを、有する割ピン構造に設けられ、マウントベース１５に用いられる材質に固有の弾性により突起（ボス）部がスリット部側へ、一時的に変位（弾性変形）可能に形成されている。
【００２３】
なお、支点ピン１５ａのボス部を弾性変形可能とするスリット部１５ｃの向きは、マウントベース１５を成型加工により成形する際の「型」の構造に支配されるが、所定の弾性を確保できれば、その形状や方向は、任意に設定可能である。
【００２４】
また、支点ピン１５ａのボス部１５ｂの外形およびスリット部１５ｃとボス部１５ｂの形状により支配されるボス部１５ｂの径方向の外側に向かう力は、図５ないし図７により以下に説明するが、少なくとも対応される開口の内壁と一部が接するように形成される。
【００２５】
図５ないし図７は、図４に示したマウントベース１５の支点ピン１５ａとハウジング３の回動支点部１１ａ（図３参照）との関係を説明している。なお、ハウジング３の回動支点部１１ａは、説明の簡略化のため、開口（穴部分）のみを示している。
【００２６】
図５に示すように、回動支点部（開口）１１ａを概ね正方形の矩形とし、支点ピン１５ａのボス部１５ｂを、開口１１ａの２辺と概ね平行に規定されたスリット部１５ｃにより分割することにより、少なくとも開口１１ａの２辺と接触する支点ピン１５ａが得られる。すなわち、丸ボス（支点ピン）のスラスト方向にスリット形状を付与してばね機能を持たせ、角穴（開口）の相対する２辺に当て付けて勘合させることによって、丸ボスのスリット形状と直角な方向のガタを取ることができる。
【００２７】
図６に示すように、回動支点部（開口）１１ａを概ね正方形の矩形とし、支点ピン１５ａのボス部１５ｂを、開口１１ａの対角（任意の対向する２角）方向と概ね平行に規定されたスリット部１５ｃにより分割することにより、開口１１ａの各辺と接触する支点ピン１５ａが得られる。すなわち、丸ボス（支点ピン）のスラスト方向にスリット形状を付与してばね機能を持たせ、スリット形状の中心線と角穴（開口）の相対する２角（２隅）を結んだ線を一致させて、さらに２つの半丸ボスを隣り合う２辺にそれぞれ当て付けて勘合させることによって、角穴の１辺と平行な方向と直角な方向のそれぞれの方向のガタを取ることができる。
【００２８】
図７に示すように、回動支点部（開口）１１ａを概ね正方形の矩形とし、その任意の１辺と接する２辺により定義される２つの角部を面取り（実際には穴であるから肉盛り）形状１１ｂとした変形六角形とし、支点ピン１５ａのボス部１５ｂを、開口１１ａの面取り（肉盛り）のない辺と概ね平行に規定されたスリット部１５ｃにより分割することにより、開口１１ａの対角（任意の対向する２角）方向と概ね平行に規定されたスリット部１５ｃにより分割することにより、少なくとも開口１１ａのスリット部１５ｃと平行な１辺および面取り（肉盛り）により定義される２辺と接触する支点ピン１５ａが得られる。すなわち、丸ボス（支点ピン）のスラスト方向にスリット形状を付与してばね機能を持たせ、さらに角穴（開口）の任意の１辺の隣り合う２カ所の角部に面取り（肉盛り）形状を付与し、半丸ボスの一方をスリット形状の中心線と平行な角穴の面取り形状のない１辺に当て付け、他方の半丸ボスを面取り部に当て付けて勘合させることによって、丸ボスのスリット形状と平行な方向および直角な方向のそれぞれの方向のガタを取ることができる。
【００２９】
なお、図５ないし図７に示した回動支点部と支点ピンを用いることにより、図２により説明したピックアップシャーシ１３の詳述しないモータおよびモータと一体に形成されたターンテーブルにセットされる光ディスクに、例えば厚さなばらつきや中心穴の偏芯もしくは偏重心等が存在する場合であっても、モータ（ターンテーブルおよび光ディスク）が回転されることで生じる周波数の高い振動に起因してクリアランスノイズが発生することを防止できる。例えば、偏重心が、光ディスクを製造する際の上限規格である１［ｇ・ｃｍ］の光ディスクを回転した場合において、マウントベース１５の支点ピン１５ａと開口（ハウジングの回動支点部）１１ａとの間の隙間（クリアランス）に起因して生じるノイズは、ほとんど確認されていない。
【００３０】
以上説明したように本発明によれば、特別な構成や追加部品を用いることなく、支点部（開口）の形状と支点部に対応される支点ピンの形状および構成を僅かに変更するのみで、コストも増大することなく、振動に起因してノイズが発生することを抑止できる。
【００３１】
なお、この発明は、前記各実施の形態に限定されるものではなく、その実施の段階ではその要旨を逸脱しない範囲で種々な変形もしくは変更が可能である。また、各実施の形態は、可能な限り適宜組み合わせて実施されてもよく、その場合、組み合わせによる効果が得られる。
【図面の簡単な説明】
【００３２】
【図１】この発明の実施の形態が適用される光ディスク装置の一例を説明する概略図。
【図２】図１に示した光ディスク装置の要部を説明する分解斜視図。
【図３】図１に示した光ディスク装置のマウントベースの構造の一例を説明する概略図。
【図４】図３に示したマウントベースの支点の構造の一例を説明する概略図。
【図５】図４に示した支点の構造の一例を説明する概略図。
【図６】図４に示した支点の構造の一例を説明する概略図。
【図７】図４に示した支点の構造の一例を説明する概略図。
【符号の説明】
【００３３】
１…光ディスク装置、３…外装ハウジング、５…ディスクトレイ（記録媒体保持構造体）、７…フロントパネル、９…ボタン、１１…筐体、１１ａ…回動支点部（開口）、１１ｂ…面取り（肉盛り）形状、１３…ピックアップシャーシ（第１の保持構造体）、１５…ピックアップマウントベース（第２の保持構造体）、１５ａ…支点ピン、１５ｂ…突起（ボス）部、１５ｃ…スリット部。
【図１】
2005190595.tif 000003
【図２】
2005190595.tif 000004
【図３】
2005190595.tif 000005
【図４】
2005190595.tif 000006
【図５】
2005190595.tif 000007
【図６】
2005190595.tif 000008
【図７】
2005190595.tif 000009